(57)【要約】      （修正有）【課題】選別する養殖貝を痛めることなく効率よく確実に選別作業を行うことが可能な選別装置の提供。【解決手段】基枠の一側に取付けた駆動装置Ｓと、複数枚の篩板を上下方向に取付けて養殖貝を選別する選別台２０と、選別台の入口側に取付け、駆動装置の駆動力により作動させて選別台を揺動させる揺動装置Ｕと、選別台の出口側と垂直支柱２ａとの間に懸架し、揺動装置による選別台の揺動を制震する懸架装置Ｖと、選別台の上方に取付け、選別台と共に揺動する未選別の養殖貝を収納する第１ホッパー３１とからなり、選別台の入口側側面と揺動装置とを揺動アーム１９で連結して支持し、出口側を懸架装置で基枠に吊下げ、駆動装置からの駆動力により揺動装置を作動させて選別台を揺動させて選別台上の養殖貝を移動させながら選別可能にしてなることを特徴とする養殖貝の選別装置１。【選択図】図１
2020028820.tif 000002
【特許請求の範囲】
【請求項１】
基枠（２）の一側に取付けた駆動装置（Ｓ）と、
それぞれ径の異なる孔（２６、２８）を有した複数枚の篩板（２５、２７）を上下方向に取付けて養殖貝（Ｈ）を選別する選別台（２０）と、
前記選別台（２０）の入口側に取付けて前記駆動装置（Ｓ）の駆動力により選別台（２０）を揺動させる揺動装置（Ｕ）と、
前記選別台（２０）の出口側と垂直支柱（２ａ）との間に懸架して前記揺動装置（Ｕ）による選別台（２０）の揺動を制震する懸架装置（Ｖ）と、
前記選別台（２０）の上方に取付けて該選別台と共に揺動する未選別の養殖貝（Ｈ）を収納する第１または第２ホッパー（３１、６１）とからなることを特徴とする養殖貝の選別装置。
【請求項２】
前記選別台（２０）は、入口側を揺動装置（Ｕ）に連動する揺動アーム（１９）で高く連結支持し、出口側を入口側より低い位置で懸架装置（Ｖ）により垂直支柱（２ａ）に吊下げて全体を傾斜させ、駆動装置（Ｓ）からの駆動力により前記揺動装置（Ｕ）を作動させて選別台（２０）と第１または第２ホッパー（３１、６１）を揺動させて養殖貝（Ｈ）を移動させながら選別可能にしてなることを特徴とする請求項１記載の養殖貝の選別装置。
【請求項３】
前記選別台（２０）は、上下方向を多段に形成した篩枠（２１）の長手方向で上段に中型以下の養殖貝をふるい落とす多数の孔（２６）を有した第１篩板（２５）を挿通し、下段に小型の養殖貝を落下させる多数の孔（２８）を有した第２篩板（２７）を挿通してなり、該選別台の上方には選別前の養殖貝（Ｈ）を収容する第１ホッパー（３１）を取付け、選別台（２０）の出口側の各段に選別した養殖貝（Ｈ）を排出する複数のガイドシューター（７０ａ、７０ｂ）をそれぞれ取付けてなることを特徴とする請求項１または２記載の養殖貝の選別装置。
【請求項４】
前記第１ホッパー（３１）は、開口部（３２）側を選別台（２０）のガイドホッパー（２９）附近に位置し、後方を前記開口部（３２）より高い位置に傾斜させ、基枠（２）の上方幅方向でローラ（３４）をそれぞれ回転可能に軸支した一対の支持軸（３３ａ、３３ｂ）上に載置し、この第１ホッパー（３１）の両側面と前記支持軸（３３ａ、３３ｂ）との間に係止鍔部（３５）を取付けて第１ホッパー（３１）の揺動を防止し、第１ホッパー（３１）の側面の前後と基枠（２）との間に係止ばね（３６）をそれぞれ取付けて第１ホッパー（３１）の上下動を制御し、前記選別台（２０）の側面に取付けた揺動アーム（１９）の上端に設けた延伸部（１９ａ）と、第１ホッパー（３１）の両側面に位置した連動アーム（３７）の一端とを連結軸（３８）で枢動可能に軸支し、該連動アームの他端と第１ホッパー（３１）の両側面に設けたホッパー軸（３９）とを枢動可能に軸支し、揺動装置（Ｕ）による揺動アーム（１９）の偏心運動を連動アーム（３７）により往復運動に変換させて第１ホッパー（３１）を往復動させてなることを特徴とする１ないし３のいずれか１記載の養殖貝の選別装置。
【請求項５】
前記第２ホッパー（６１）は、選別台（２０）の入口付近に設けたガイドホッパー（２９）に開口部６２側を位置し、前記選別台（２０）の両側に取付けた接続片（６３）の上端を第２ホッパー（６１）の開口部付近の両側と枢動可能に軸支し、第２ホッパー（６１）の後方を開口部（６２）より高い位置で基枠（２）の傾斜支柱（２ｂ）に支持した張出受部（６５）に設けた軸（６４）に軸支した支持ローラ（６６）に載置し、第２ホッパー（６１）の両側面と張出受部（６５）との間に係止ばね（６７）を架設し、揺動装置（Ｕ）による選別台（２０）の揺動と連動して揺動可能にしてなることを特徴とする請求項１または２記載の養殖貝の選別装置。
【請求項６】
前記駆動装置（Ｓ）は、駆動モータ（５）により駆動する駆動軸（６）に軸着した駆動輪（７）と、前記駆動軸（６）と平行に軸支した揺動装置（Ｕ）の作動軸（１１）に軸着した作動輪（１３）との間に伝導手段（Ｔ）を介して作動軸（１１）を回転可能にしてなることを特徴とする請求項１記載の養殖貝の選別装置。
【請求項７】
前記伝導手段（Ｔ）は、駆動モータ（５）の駆動軸（７）に軸着した駆動輪（９）と、前記揺動装置（Ｕ）の作動軸（１１）に軸支した作動輪（１３）との間に介装したチェーンまたはベルトあるいは歯車などからなることを特徴とする請求項１または６記載の養殖貝の選別装置。  
【請求項８】
前記揺動装置（Ｕ）は、前記作動軸（１１）の両端面に設けた偏心軸（１４）に取付けた軸受部（１５）に連結片（１６）の軸支部（１７）を軸着し、該連結片の連結部（１８）に揺動アーム（１９）の下端を連結し、該揺動アームの中間部分を選別台（２０）の両側面に固着して支持し、この揺動アーム（１９）の上端を伸ばして設けた延伸部（１９ａ）に前記第１ホッパー（３１）の両側面に軸支した連動アーム（３７）の一端を連結軸（３９）で枢動可能に軸支してなり、前記駆動装置（Ｓ）から伝導手段（Ｔ）を介して前記揺動装置（Ｕ）の作動軸（１１）を回動させて両端に設けた偏心軸（１４）の偏心回転により選別台（２０）と第１ホッパー（３１）を揺動させて第１ホッパー（３１）内の養殖貝（Ｈ）を選別台（２０）の入口側に落下させて振動させながら出口方向に移動させ、第１篩板（２５）または第２篩板（２７）上を移動する養殖貝（Ｈ）を大きさにより選別分配可能にしたことを特徴とする請求項１または２記載の養殖貝の選別装置。
【請求項９】
前記懸架装置（Ｖ）は、基枠（２）の垂直支柱（２ｂ）と選別台（２０）の出口側に位置し、垂直支柱（２ａ）から選別台（２０）を吊下げる懸架部（４１）と、選別台（２０）を基枠（２）に支持する保持部（５１）とからなることを特徴とする請求項１または２記載の養殖貝の選別装置。
【請求項１０】
前記懸架装置（Ｖ）を構成する懸架部（４１）と保持部（５１）は、それぞれ選別台（２０）の揺振動を緩衝制御する少なくとも１以上の弾発部片（４５）で懸架または支持せてなることを特徴とする請求項１、２あるいは９記載の養殖貝の選別装置。
【請求項１１】
前記懸架部（４１）は、垂直支柱（２ａ）の上方に設けた上部支持片（４２）に軸着した上部支持軸（４３）に少なくとも１以上の弾発部片（４５）の一端を取付け、他端を選別台（２０）の出口側側面に設けた下部支持片（４６）に軸着した下部支持軸（４７）にそれぞれ支持して選別台（２０）を懸架してなり、前記保持部（５１）は、選別台（２０）の出口側の両側面に設けた上部保持軸（５２）と、垂直支柱（２ａ）に取付けた下部保持軸（５３）との間に弾発部片（４５）を介装してなることを特徴とする請求項９または１０記載の養殖貝の選別装置。
【請求項１２】
前記選別装置（１）の基枠（２）を構成する各支柱（２ａ、２ｂ）の下端に軸（４ａ）で枢動可能に軸支した可動支持脚（４）をそれぞれ取付けてなることを特徴とする請求項１記載の養殖貝の選別装置。
【発明の詳細な説明】
【技術分野】
【０００１】
本発明は帆立養殖貝、牡蠣など、養殖貝の自動選別装置の改良に関する。
【背景技術】
【０００２】
従来、養殖して生育させた帆立養殖貝や牡蠣などの養殖貝を出荷するための選別作業は、養殖貝の破損を防止するため手作業で行うのが理想的であるが、作業効率の向上と労力の軽減を図るため機械による選別作業が主流となっている。
【０００３】
従来から使用される養殖貝の選別装置は多種多様であるが、養殖貝を効率的に選別するため、中型以下の養殖貝が落下する孔を多数開けた篩板と、小型の養殖貝が落下する孔を多数開けた篩板とを上下に取付けた選別台の入口側を高く出口側を低く傾斜させて位置し、該選別台の上方に養殖貝を収容するホッパーを取付けて形成してある。
【０００４】
前記選別台は、駆動モータから伝動したクランク機構などを利用して偏心回転させた伝動軸を前記選別台の上端側に枢動可能に取付け、前記偏心運動による振動で選別台全体を振動させることにより篩板上の養殖貝を移動させながら所定大きさの孔からそれぞれ落下させて選別する選別装置が知られている。
【先行技術文献】
【特許文献】
【０００５】
【特許文献１】実公平８−１０４１２号
【特許文献２】特開２０００−２３７６８６号
【０００６】
前記した選別装置は、いずれも選別台の入口側を高く出口側を低くして全体を傾斜させて位置し、駆動モータからの振動手段を入口側に設け、出口側を選別装置の基枠に支持して取付けてある。したがって、前記選別台の振動は、上方側が強く大きく振動し、下方側は基枠に支持されているだけであるため入口側と相違し振動幅が小さく振動する。一方、選別する養殖貝は、大きさ、形状、表面に付着物があるものなど多様であることから、それぞれ養殖貝の摩擦抵抗が相違する。
【０００７】
したがって、選別台上を移動する養殖貝の移動速度が不揃いで一定しないため、養殖貝同士が重なりやすく所定の穴から落ちにくい。また、養殖貝の選別効率が低下し効率的に選別することが困難である。さらには、選別台は、振動装置を取付けて上方側は大きく往復上下動し、下方側は枠体に直接支持してあるため、振動幅が小さくなり養殖貝をスムースに移動させることが困難である。特にホッパー内の養殖貝は、揺動により落下せず、ホッパー内を遡上することがあり、選別作業を効率的に行うことが困難であった。
【０００８】
さらには、選別台が大きく上下動すると養殖貝が飛び跳ねて大きく浮くため選別孔に嵌りやすく、一度嵌ると他の養殖貝の移動を邪魔し養殖貝の流れを悪くする。さらには、多数の選別孔が塞がると小さな養殖貝が選別されずに通過してしまい選別効率が落ちる原因ともなる。また、孔に嵌まった養殖貝は、振動によりさらに強く嵌ってしまうため取り出しが難く、無理に取り出すと養殖貝が欠けたり、割れたりして出荷する養殖貝の歩留まりが悪くなるなどの問題点を有している。
【発明の概要】
【発明が解決しようとする課題】
【０００９】
本発明が解決しようとする課題は、傾斜させた選別装置の入口側（上流側）に揺動手段を設け、選別装置の出口側を直接基枠に支持させず、上下方向から揺動緩衝手段を取付けて支持することにより、選別台の揺動をスムースに伝動させることにより養殖貝の移動を緩やかにし、養殖貝の跳ねを防止して養殖貝を水平移動させることにより、養殖貝が孔に挟まるのを防止し、また、養殖貝同士が強く衝突することによる傷付きを防止して養殖貝の歩留りを少なくし、また、ホッパー内での養殖貝の遡上を防止して流れを良くすることにより選別効率の向上を図ることを目的とする。
【課題を解決するための手段】
【００１０】
上記課題を達成するため本発明は、基枠２の一側に取付けた駆動装置Ｓと、それぞれ径の異なる孔２６、２８を有した複数枚の篩板２５、２７を上下方向に取付けて養殖貝Ｈを選別する選別台２０と、前記選別台２０の入口側に取付けて前記駆動装置Ｓの駆動力により選別台２０を揺動させる揺動装置Ｕと、前記選別台２０の出口側と垂直支柱２ａとの間に懸架して前記揺動装置Ｕによる選別台２０の揺動を制震する懸架装置Ｖと、前記選別台２０の上方に取付けて該選別台と共に揺動する未選別の養殖貝Ｈを収納する第１または第２ホッパー３１、６１とからなることを特徴とする。また、前記選別台２０は、入口側を揺動装置Ｕに連動する揺動アーム１９で高く連結支持し、出口側を入口側より低い位置で懸架装置Ｖにより垂直支柱２ａに吊下げて全体を傾斜させ、駆動装置Ｓからの駆動力により前記揺動装置Ｕを作動させて選別台２０と第１または第２ホッパー３１、６１を揺動させて養殖貝Ｈを移動させながら選別可能にしてなることを特徴とする。さらには、前記選別台２０は、上下方向を多段に形成した篩枠２１の長手方向で上段に中型以下の養殖貝をふるい落とす多数の孔２６を有した第１篩板２５を挿通し、下段に小型の養殖貝を落下させる多数の孔２８を有した第２篩板２７を挿通してなり、該選別台の上方には選別前の養殖貝Ｈを収容する第１ホッパー３１を取付け、選別台２０の出口側の各段に選別した養殖貝Ｈを排出する複数のガイドシューター７０ａ、７０ｂをそれぞれ取付けてなることを特徴とする。さらにはまた、前記第１ホッパー３１は、開口部３２側を選別台２０のガイドホッパー２９附近に位置し、後方を前記開口部３２より高い位置に傾斜させ、基枠２の上方幅方向でローラ３４をそれぞれ回転可能に軸支した一対の支持軸３３ａ、３３ｂ上に載置し、この第１ホッパー３１の両側面と前記支持軸３３ａ、３３ｂとの間に係止鍔部３５を取付けて第１ホッパー３１の揺動を防止し、第１ホッパー３１の側面の前後と基枠２との間に係止ばね３６をそれぞれ取付けて第１ホッパー３１の上下動を制御し、前記選別台２０の側面に取付けた揺動アーム１９の上端に設けた延伸部１９ａと、第１ホッパー３１の両側面に位置した連動アーム３７の一端とを連結軸３８で枢動可能に軸支し、該連動アームの他端と第１ホッパー３１の両側面に設けたホッパー軸３９とを枢動可能に軸支し、揺動装置Ｕによる揺動アーム１９の偏心運動を連動アーム３７により往復運動に変換させて第１ホッパー３１を往復動させてなることを特徴とする。また、前記第２ホッパー６１は、選別台２０の入口付近に設けたガイドホッパー２９に開口部６２側を位置し、前記選別台２０の両側に取付けた接続片６３の上端を第２ホッパー６１の開口部付近の両側と枢動可能に軸支し、第２ホッパー６１の後方を開口部６２より高い位置で基枠２の傾斜支柱２ｂに設けた張出受部６５に設けた軸６４に軸支した支持ローラ６６に載置し、第２ホッパー６１の両側面と張出受部６５との間に係止ばね６７を架設し、揺動装置Ｕによる選別台２０の揺動と連動して揺動可能にしてなることを特徴とする。さらには、前記駆動装置Ｓは、駆動モータ５により駆動する駆動軸６に軸着した駆動輪７と、前記駆動軸６と平行に軸支した揺動装置Ｕの作動軸１１に軸着した作動輪１３との間に伝導手段Ｔを介して作動軸１１を回転可能にしてなることを特徴とする。さらにはまた、前記伝導手段Ｔは、駆動モータ５の駆動軸７に軸着した駆動輪９と、前記揺動装置Ｕの作動軸１１に軸着した作動輪１３との間に介装したチェーンまたはベルトあるいは歯車などからなることを特徴とする。また、前記揺動装置Ｕは、前記作動軸１１の両端面に設けた偏心軸１４に取付けた軸受部１５に連結片１６の軸支部１７を軸着し、該連結片の連結部１８に揺動アーム１９の下端を連結し、該揺動アームの中間部分を選別台２０の両側面に固着して支持し、この揺動アーム１９の上端を伸ばして設けた延伸部１９ａに前記第１ホッパー３１の両側面に軸支した連動アーム３７の一端を連結軸３９で枢動可能に軸支してなり、前記駆動装置Ｓから伝導手段Ｔを介して前記揺動装置Ｕの作動軸１１を回動させて両端に設けた偏心軸１４の偏心回転により選別台２０と第１ホッパー３１を揺動させて第１ホッパー３１内の養殖貝Ｈを選別台２０の入口側に落下させて振動させながら出口方向に移動させ、第１篩板２５または第２篩板２７上を移動する養殖貝Ｈを大きさにより選別分配可能にしたことを特徴とする。さらには、前記懸架装置Ｖは、基枠２の垂直支柱２ｂと選別台２０の出口側に位置し、垂直支柱２ａから選別台２０を吊下げる懸架部４１と、選別台２０を基枠２に支持する保持部５１とからなることを特徴とする。さらにはまた、前記懸架装置Ｖを構成する懸架部４１と保持部５１は、それぞれ選別台２０の揺振動を緩衝制御する少なくとも１以上の弾発部片４５で懸架または支持せてなることを特徴とする。また、前記懸架部４１は、垂直支柱２ａの上方に設けた上部支持片４２に軸着した上部支持軸４３に少なくとも１以上の弾発部片４５の一端を取付け、他端を選別台２０の出口側側面に設けた下部支持片４６に軸着した下部支持軸４７にそれぞれ支持して選別台２０を懸架してなり、前記保持部５１は、選別台２０の出口側の両側面に設けた上部保持軸５２と、垂直支柱２ａに取付けた下部保持軸５３との間に弾発部片４５を介装してなることを特徴とする。さらには、前記選別装置１の基枠２を構成する各支柱２ａ、２ｂの下端に軸４ａで枢動可能に軸支した可動支持脚４をそれぞれ取付けてなることを特徴とする。
【００１１】
したがって、前記選別装置１は、選別台２０の入口側に揺動装置Ｕを取付けて高く支持し、出口側に懸架装置Ｖを低く取付けて全体を傾斜させて基枠２に懸架し、前記揺動装置Ｕを駆動装置Ｓと伝導手段Ｔにより駆動させて選別台２０を揺動させることにより、第１または第２ホッパー３１、６１内の養殖貝Ｈの遡上を防止して効率良く落下させて選別することができる。また、選別台２０は、出口側に懸架装置Ｖを取付けたことにより、出口側の揺動運動による上下動を緩衝させて養殖貝の跳ねを防止して水平移動させることにより、養殖貝の移動をスムースにすることができる。さらには、揺動運動を緩衝させたことにより養殖貝の跳ねによる篩板の孔に挟まるのを防止することができる。さらにはまた、揺動運動による養殖貝の移動時に養殖貝同士が強く衝突すること防止して養殖貝の流れをスムースにし、養殖貝の傷つきと選別効率の向上を図ることができる。
【図面の簡単な説明】
【００１２】
【図１】本発明にかかる選別装置の正面図である。
【図２】選別装置の平面図である。
【図３】選別装置の右側面図である。
【図４】選別装置の左側面図である。
【図５】選別台の中央断面図である。
【図６】駆動装置と揺動装置を示す一部破断した平面図である。
【図７】選別台と第ホッパーと揺動装置との作動状態を示す要部説明図である。
【図８】選別台と第１ホッパーと揺動アームとの連結関係を示す要部拡大断面図である。
【図９】作動軸の偏心軸に取付けた連結片に揺動アームを連結した状態を示す要部拡大図である。
【図１０】作動軸の拡大側面図である
【図１１】作動軸の偏心軸に取付ける連結片の正面図である
【図１２】揺動装置によって揺動する養殖貝の移動状態を示す説明図である。
【図１３】選別装置に第２ホッパーを取付けた第２実施例を示す正面図である。
【図１４】選別装置に第２ホッパーを取付けた第２実施例を示す平面図である。
【発明を実施するための形態】
【００１３】
本発明の実施の形態を図面に基づいて説明すると、図１は本発明にかかる選別装置の正面図、図２は選別装置の平面図、図３は選別装置の右側面図、図４は選別装置の左側面図、図５は選別台の中央断面図、図６は駆動装置と揺動装置を示す一部破断した平面図、図７は選別台と第ホッパーと揺動装置との作動状態を示す要部説明図、図８は選別台と第１ホッパーと揺動アームとの連結関係を示す要部拡大断面図である。本発明に係る選別装置１は、左右方向を長尺に形成した基枠２の一側に設けた台部３に駆動装置Ｓと揺動装置Ｕを位置し、前記駆動装置Ｓと揺動装置Ｕとを伝導手段Ｔを介して伝導可能に連結し、選別台２０は、養殖貝Ｈを選別するための第１、２篩板２５、２７を上下方向に取付けて形成し、該選別台の上方には未選別の養殖貝Ｈを収納する第１ホッパー３１を取付け、前記選別台２０は、下端を揺動装置Ｕに連結した揺動アーム１９の中間部分を入口側の両側面に取付けて支持し、選別台２０の出口側を懸架装置Ｖにより基枠２に懸架して取付けてある。
【００１４】
前記基枠２は、図１、３に示すごとく、長さ方向の一端に垂直支柱２ａを設け、他端に傾斜支柱２ｂを位置し、該垂直支柱と傾斜支柱２ｂの下端にそれぞれ可動支持脚４を軸４ａで枢動可能に取付けてある。したがって、選別装置１を足場が悪い場所や揺動装置Ｕによる振動でも基枠２の平行状態を維持させることができる。また、基枠２の傾斜支柱２ｂ側の幅方向に駆動装置Ｓおよび揺動装置Ｕを載置する台部３を設けてある。
【００１５】
前記駆動装置Ｓは、図１、４、６に示すごとく、駆動モーター５から減速手段（公知のインバーターまたは減速機）を介して回転する駆動軸７に駆動輪９を軸着して形成してある。前記駆動輪９は、例えば、スプロケット、プーリーまたは歯車などからなる公知の駆動輪である。
【００１６】
前記揺動装置Ｕは、図１〜３、または６〜１１に示すごとく、前記駆動装置Ｓの駆動軸７と平行な位置に軸受部１２を介して作動軸１１を回転可能に軸支し、該作動軸に前記駆動輪９と平行な位置に作動輪１３を取付け、該作動輪と駆動輪９との間に公知の伝導手段Ｔを介装して伝導可能に取付けてある。
【００１７】
前記作動軸１１は、図８、１０に示すごとく、両端面にそれぞれ偏心軸１４を設け、該偏心軸に軸受部１５を介して連結片１６の軸着部１７を取付け、該連結片の連結部１８に前記選別台２０の両側面に取付けた揺動アーム１９の下端を取付けて選別台２０を支持してある。
【００１８】
前記駆動装置Ｓと、揺動装置Ｕとを伝導する伝導手段Ｔは、チェーン、ベルトまたは歯車などからなる公知の伝導手段で、好ましくは、スプロケットからなる駆動輪９と作動輪１３との間にチェーンを介装して伝導してある。
【００１９】
前記選別台２０は、図１、２、５に示すごとく、揺動装置Ｕに連動する揺動アーム１９で入口側を高く連結支持し、出口側に取付けた懸架装置Ｖを入口側より低く基枠２に吊下げて全体を傾斜させ、前記駆動装置Ｓからの駆動力により前記揺動装置Ｕを作動させて選別台２０と、該選別台の上方に位置した第１ホッパー３１を揺動させて養殖貝Ｈを移動させながら選別可能にしてある。
【００２０】
前記選別台２０は、上下方向を多段に形成した一対の篩枠２１の内側に、断面コ字形の内枠２２をそれぞれ上下方向に位置し、該内枠と内枠との間には溝部２３を上下方向に複数設けて形成してある。前記篩枠２１の上側溝部２３ａに中型以下の養殖貝Ｈが落下する多数の孔２６を有した第１篩板２５を挿通し、下方の溝部２３ｂに小型の養殖貝Ｈが落下する多数の孔２８を有した第２篩板２７を挿通してある。
【００２１】
また、選別台２０は、入口側の端面に前記第１、２篩板２５、２７の出し入れと、該篩板が揺動したときの移動を防止するためのストッパーを兼ねた開閉板（図示せず）を開閉可能に取付け、前記選別台２０に取付けた第１、２篩板２５、２７の出口側に、養殖貝をスムースに排出するためのガイドシューター７０ａ、７０ｂをそれぞれ取付けてある。
【００２２】
前記第１ホッパー３１は、図１、２、７に示すごとく、開口部３２を選別台２０の入口側に設けたガイドホッパー２９附近に位置し、後方を開口部３２より高い位置に傾斜させて基枠２の幅方向で段違いで並行に位置した一対の第１、２支持軸３３ａ、３３ｂに回転可能に軸支したローラ３４ａ、３４ｂ上に載置し、前記揺動装置Ｕにより選別台２０と共に第１ホッパー３１を前後動可能に載置してある。また、前記支持軸３３ａ、３３ｂと第１ホッパー３１の側面との間にガイド鍔部３５を取付けて第１ホッパー３１が幅方向へ揺動するのを防止してある。
【００２３】
前記第１ホッパー３１は、両側面の前後に前記基枠２との間に係止ばね３６、３６を取付けて第１ホッパー３１の揺動を制御してスムースに前後動可能に形成してある。さらには、前記第２支持軸３３ｂの下端には、調整軸部４０を設けて第２支持軸３３ｂを伸縮可能に形成し、第１ホッパー３１上に載せる養殖貝Ｈの量により、第１ホッパー３１の傾斜角度を自由に変更可能に形成してある。
【００２４】
この第１ホッパー３１の前後動は、図７、８に示すごとく、選別台２０の側面に取付けた揺動アーム１９の上端を選別台２０の上方に延伸させて設けた延伸部１９ａと、第１ホッパー３１の後方両側面に軸支したホッパー軸３９に一端を枢動可能に軸支した連動アーム３７の他端を連結軸３８で枢動可能に軸支し、揺動アーム１９の偏心運動を前記連動アーム３７で往復運動に変換させて第１ホッパー３１を往復動させることにより、第１ホッパー３１内の養殖貝Ｈが遡上することなくスムースに出口側に移動して落下させることができる。
【００２５】
前記第１ホッパー３１は、図１、２に示すごとく、出口付近に養殖貝の流量を調節する公知の制御板４０を取付け、養殖貝の流量を調節可能に取付けてある。前記第１ホッパー３１の開口部３２に取付けた制御板４０は、ホッパー３１の傾斜角度にあわせて枢動し、傾斜角度により多数の養殖貝が一度に落下するのを防止して定量の養殖貝をスムースに入口方向に落下させることができる。
【００２６】
図１３、１４は、ホッパーの第２の実施の形態を示す第２ホッパー６１を取付けた選別装置１で、この第２ホッパー６１は、選別台２０の長手方向で開口部６２を選別台の入口に設けたガイドホッパー２９附近に位置し、後方を選別台２０の長手方向入口側の延長上で開口部６２より高い位置に傾斜させて位置し、選別台２０の両側面に取付けた接続片６３の上端を第２ホッパー６１の出口付近の両側面に枢動可能に軸支し、基枠２の傾斜支柱２ｂに下端を支持させた張出アーム６５の先端に取付けた軸６４に回転可能に軸支した支持ローラ６６に前記第２ホッパー６１の後方底面を載置し、該ホッパー６１の後部側面と張出アーム６５との間に係止ばね６７を介装して第２ホッパー６１を引っ張ることにより浮き上がりを防止してある。
【００２７】
さらには、前記第２ホッパー６１の出口付近には、養殖貝の流量を調節する公知の制御板（図示せず）を取付けることにより、養殖貝の流量を調節可能にしてもよい。前記第２ホッパー６１の開口部６２に取付けた制御板は、第２ホッパー６１の傾斜角度にあわせて枢動し、傾斜角度により多数の養殖貝が一度に落下するのを防止して定量の養殖貝をスムースに入口方向に落下させることができる。
【００２８】
前記懸架装置Ｖは、図１、２、３に示すごとく、選別台２０の出口側と基枠２の垂直支柱２ａとの間に位置し、該選別台を上方から吊下げる懸架部４１と、選別台２０を下方から支持する保持部５１とからなり、前記懸架部４１には、それぞれ選別台２０の揺振動を緩衝制御する少なくとも１以上の弾発部片４５により懸架または緊張させて取付けてある。前記弾発部片４５は、公知の緩衝材、例えば、ばね材またはゴム材、好ましくは、コイルばねにより懸架または支持してある。
【００２９】
前記懸架部４１は、図３に示すごとく、基枠２の垂直支柱２ａの上方に設けた一対の上部支持片４２の間で水平方向に渡した支持軸４３に少なくとも１以上の弾発部片４５の一端を取付け、他端を選別台２０の出口側の両側面または上面に設けた一対の下部支持片４６の水平方向に渡した支持軸４７にそれぞれ取付けて選別台２０を懸架して揺振動を制御可能にしてある。
【００３０】
前記保持部５１は、図３に示すごとく、選別台２０の出口側の両側面に取付けた一対の上部保持軸５２に弾発部片４５の上端を取付け、下端を前記垂直支柱２ａの下方に取付けた一対の下部保持軸５３に取付けて選別台２０を引っ張り緊張させて揺振動を制御可能にしてある。
【００３１】
さらには、前記懸架部４１に取付けた弾発部片４５で選別台２０を懸架すると共に、保持部５１に取付けた弾発部片４５で選別台２０を引っ張り緊張させることにより、選別台２０に大量の養殖貝Ｈが戴置されて重くなった場合でも、揺動アーム１９の負担を軽減して揺動装置Ｕの偏心運動をスムースに行うことができるので選別作業を効率的に行うことができる。
【００３２】
未選別の養殖貝Ｈの選別作業工程は、海中から採取した出荷用の養殖貝Ｈを第１ホッパー３１に収容する。次いで、駆動装置Ｓの駆動モータ５を作動させて駆動軸７に軸支した駆動輪９から伝導手段Ｔを介して作動輪１３を回転させることにより、作動軸１１の両端に取付けた揺動装置Ｕで選別台２０を揺動させる。
【００３３】
前記揺動装置Ｕによる選別台２０の揺動運動は、図１２イに示すごとく、作動軸１１が反時計方向に回転すると、起点となる偏心軸１４が最前進位置Ｘから最上部位置Ｗに回動すると、篩板２５と養殖貝Ｈは矢印に示すごとく、最前進位置Ｘの地点から最上部位置Ｗの位置に押し上げられながら後退する。  
【００３４】
次いで、図１２ロに示すごとく、さらに偏心軸１４が回転して最上部位置Ｗから作動軸１１の軸心と並行な同一水平面に位置に移動すると、篩板２５と養殖貝Ｈは共に矢印方向に後退しながら降下して最後退位置Ｙに移動する。
【００３５】
さらに、図１２ハに示すごとく、偏心軸１４が回動して最後退位置Ｙから最下位置Ｚに降下しながら矢印方向に前進すると、養殖貝Ｈは、篩板２５の急降下の勢いと養殖貝の自重と選別台の傾斜により、一時的に宙に浮きながら矢印方向の最前進位置Ｘ方向に前進する。
【００３６】
さらにはまた、図１２ニに示すごとく、偏心軸１４がさらに回転して最下位置Ｚから作動軸１１の軸心と並行な最前進位置Ｘに上昇しながら前進すると、養殖貝Ｈは、篩板が前進した最前進位置Ｘに前進移動する。
【００３７】
上記したごとく、作動軸１１の反時計方向への一回転で偏心軸１４が偏心回転をすることにより、選別台２０が最前進位置Ｘから最後退位置Ｙに並行移動する往復運動と、最高位置Ｗと最低位置Ｚへの上下運動からなる揺動運動を繰返すと、養殖貝Ｈは、篩板２５の急降下の勢いと養殖貝の自重と選別台の傾斜により最後退位置Ｙから最前進位置Ｘ方向に移動し、最初の位置Ｘから半歩前進する。さらに篩板２５が上昇しながらまた最後退位置Ｙ方向に移動する動作を繰返すことにより、養殖貝Ｈは歩進運動をしながら前進移動して不適正な孔２６、２８に嵌ることなく適正な孔から適宜選別されてそれぞれ落下して排出させることができる。
【００３８】
以下、本発明に係る選別装置１の作用について説明すると、選別装置１は、左右方向を長尺に形成した基枠２の一側に設けた台部３に駆動装置Ｓと揺動装置Ｕを取付け、前記駆動装置Ｓと揺動装置Ｕとの間に伝導手段Ｔを介して連結して揺動装置Ｕを作動可能に取付けてある。
【００３９】
養殖貝Ｈを選別する選別台２０は、入口側の両側を前記揺動装置Ｕの揺動アーム１９で高く支持し、該選別台の出口側を懸架装置Ｖで低く基枠２に懸架し全体を傾斜させて揺動可能に取付け、該選別台の上方には揺動装置Ｕの揺動に連動する第１ホッパー３１を取付けてある。
【００４０】
前記第１ホッパー３１は、選別台２０の揺動と共に作動し、第１ホッパー３１の前後動は、選別台２０の側面に取付けた揺動アーム１９の上端を延伸させて設けた延伸部１９ａと、第１ホッパー３１の両側面に設けたホッパー軸３９に一端を枢動可能に軸支した連動アーム３７の他端とを連結軸３８で枢動可能に軸支し、揺動アーム１９の偏心運動を前記連動アーム３７で往復運動に変換させて第１ホッパー３１を往復動させることにより、第１ホッパー３１内の養殖貝Ｈが揺動により遡上することなくスムースに出口側に移動させることができる。
【００４１】
前記選別台２０による選別作業工程は、海中から採取した出荷用の養殖貝Ｈをホッパー３１に収容する。次いで、駆動装置Ｓの駆動モータ５を作動させて駆動軸７に軸支した駆動輪９から伝導手段Ｔを介して揺動装置Ｕの作動輪１３を回転させて作動軸１１の両端に設けた偏心軸１４を反時計方向に回動させる。この偏心軸１４の偏心回転により、軸支した軸受部１５に取付けた連結片１６と連結した揺動アーム１９により選別台２０と第１ホッパー３１を揺動させる。
【００４２】
第１ホッパー３１内の養殖貝Ｈは、選別台２０の入口側に設けたガイドホッパー２９から落下し、選別台２０が水平方向の往復動と上下動を交互に連動する揺動運動をすることにより、第１、２篩板２５、２７上の養殖貝Ｈは、篩板に押付けられて水平方向に後退する。次いで篩板２５が急降下しながら前進すると、養殖貝Ｈは、篩板２５の急降下の勢いと養殖貝の自重と選別台の傾斜により最後退位置Ｙから最前進位置Ｘ方向に移動する。  
【００４３】
この最前進位置Ｘ方向への移動位置が、最初の図１２イの最前進位置Ｘより半歩出口側に移動した位置となる。この前進後退運動を繰返しながら少しづつ出口方向に移動することにより、養殖貝Ｈは、第１、２篩板２５、２７のそれぞれ合致した孔２６、２８から落下して篩い分けられて選別することができる。
【００４４】
前記選別台２０に設けた各ガイドシューター７０ａ、７０ｂは、選別された養殖貝が所定の落下地点に用意した収容容器（図示せず）に落ちるようにガイドし、落下地点にそれぞれ配置した収容容器に傷付くことなく効率よく回収することができる。また、選別装置１の選別台２０上には、養殖貝Ｈの洗浄と移動を容易にするためポンプにより揚水した海水を選別台上に噴射するための洗浄装置（図示せず）を取付けてもよい。
【００４５】
上記したごとく、揺動装置Ｕと懸架装置Ｖにより支持された選別台２０は、作動軸１１の一回転で偏心軸１４に軸着された揺動アーム１９が作動して選別台２０が最前進位置Ｘから最後退位置Ｙに並行移動する往復運動と、最高位置Ｗと最低位置Ｚへの上下運動からなる揺動運動を繰返すことにより、養殖貝Ｈをスムースに前進移動させることができ、また、養殖貝Ｈは水平移動するため、小さな孔に嵌ることなく歩進運動をしながら前進移動し、適正な第１、２篩板２５、２７の孔２６、２８から適宜選別されてそれぞれ落下して排出する。
【００４６】
したがって、選別台２０は、入口側を高く、出口側を低くして全体を傾斜させ、且つ、揺動装置Ｕにより選別台を揺動させることにより、養殖貝Ｈをスムースに移動させることができ、また、第１、２篩板２５、２７上を移動する養殖貝Ｈは、選別台２０の出口側に設けた懸架装置Ｖにより吊下げてあるため、揺動装置Ｕによる揺動運動を弾発部片４５で吸収して微振動に変振させることにより養殖貝が移動しながら跳ねたり踊ったりせず水平状態を維持したまま移動させることができるので選別効率を向上させることができる。
【００４７】
選別台２０は、出口側に懸架装置Ｖを取付けたことにより、揺動装置Ｕによる揺動運動を複数の弾発部片４５で吸収して微振動に変振させることができるので養殖貝が跳ねたり踊ったりせず水平状態のまま移動させることができる。したがって、養殖貝Ｈは、水平状態のままスムースに移動するので、養殖貝と養殖貝がぶつかって割れたりひびが入って破損することを防止することができる。
【００４８】
選別装置１は、図１、２に示すごとく、選別台２０の基枠２の各支柱２ａ、２ｂの下端に支持脚３を枢動可能に取付けたことにより、選別装置１を常に平行状態を維持させることができるので、足場の悪い個所にでも設置することができる。
【００４９】
また、選別装置１に取付けた第２実施例を示す第２ホッパー６１は、支持片６４の下端を前記選別台２０の側面または上面に取付け、ホッパー６１の後部側底面に支持アーム６５に軸支した支持ローラ６６に載置し、該ホッパー６１の後部側側面と支持アーム６５との間に係止ばね６７を介装して引っ張ることによりホッパー６１の浮き上がりを防止して、選別台と共にスムースに揺動させることができるので、ホッパー内を養殖貝が揺動で遡上することなく出口から落下させることができる。
【符号の説明】
【００５０】
１      選別装置
２      基枠
３      台部
４      可動支持部
５      駆動モータ
６      減速機
７      駆動軸
９      駆動輪
１１    作動軸
１２    軸受部
１３    作動輪
１４    偏心軸
１５    軸受部
１６    連結片
１７    軸支部
１８    連結部
１９    揺動アーム
１９ａ  延伸部
２０    選別台
２１    篩枠
２２    内枠
２３    溝部
２５    第１篩板
２６    孔
２７    第２篩板
２８    孔
２９    ガイドホッパー
３１    第１ホッパー
３２    開口部
３３    支持軸
３４    ローラ
３５    ガイド鍔部
３６    係止ばね
３７    連動アーム
３８    連結軸
３９    ホッパー軸
４１    懸架部
４２    上部支持片
４３    支持軸
４５    弾発部片
４６    下部支持片
４７    支持軸
５１    保持部
５２    上部保持軸
５３    下部保持軸
６１    第２ホッパー
６２    開口部
６３    接続片
６５    張出アーム
６６    支持ローラ
６７    係止ばね
７０    ガイドシューター
Ｈ      養殖貝
Ｓ      駆動装置
Ｔ      伝導手段
Ｕ      揺動装置
Ｖ      懸架装置
【図１】
2020028820.tif 000003
【図２】
2020028820.tif 000004
【図３】
2020028820.tif 000005
【図４】
2020028820.tif 000006
【図５】
2020028820.tif 000007
【図６】
2020028820.tif 000008
【図７】
2020028820.tif 000009
【図８】
2020028820.tif 000010
【図９】
2020028820.tif 000011
【図１０】
2020028820.tif 000012
【図１１】
2020028820.tif 000013
【図１２】
2020028820.tif 000014
【図１３】
2020028820.tif 000015
【図１４】
2020028820.tif 000016